(57)【要約】【課題】ユーザが装着部を首に装着した状態において一方の手に本体部を持たなくとも別の場所に移動することのできる首用電気治療器を提供する。【解決手段】この低周波治療器１０は、首に取り付けられるアーム２０と、同アーム２０に設けられて首にパルス電流を流す第１電極部３１及び第２電極部３２と、同電極部３１、３２にパルス電流を供給する本体部５０とを備える。そして、アーム２０に本体部５０が設けられている。【選択図】図１
2011067294.tif 000002
【特許請求の範囲】
【請求項１】
首に取り付けられる装着部と、同装着部に設けられて生体にパルス電流を流す電極部と、同電極部にパルス電流を供給する本体部とを備える首用電気治療器において、
前記装着部に前記本体部が設けられている
ことを特徴とする首用電気治療器。
【請求項２】
請求項１に記載の首用電気治療器において、
前記装着部は、首への装着状態を安定させるための保持部が端部に設けられるものであり、
前記本体部は、前記保持部と一体化されるものである
ことを特徴とする首用電気治療器。
【請求項３】
請求項１または２に記載の首用電気治療器において、
前記本体部は、生体へのパルス電流の供給状態を変更するための操作部が設けられるものであり、
前記操作部は、ユーザが装着部を首に装着した状態において姿勢を変更したときにユーザと接触しにくいところに設けられるものである
ことを特徴とする首用電気治療器。
【請求項４】
請求項３に記載の首用電気治療器において、
前記操作部は、ダイヤル式のものであり且つ前記本体部の後方側の部位に設けられるものである
ことを特徴とする首用電気治療器。
【請求項５】
請求項３に記載の首用電気治療器において、
前記操作部は、プッシュ式のものである
ことを特徴とする首用電気治療器。
【請求項６】
請求項５に記載の首用電気治療器において、
前記操作部は、生体に流すパルス電流を大きくするための第１操作部と、生体に流すパルス電流を小さくするための第２操作部とを含むとともに、ユーザが前記第１操作部と前記第２操作部との違いを触覚により確認できるように前記第１操作部と前記第２操作部とが互いに異なる構造を有する
ことを特徴とする首用電気治療器。
【請求項７】
請求項１〜６のいずれか一項に記載の首用電気治療器において、
前記本体部は、生体へのパルス電流の供給状態を変更するための操作部と、同操作部が操作された旨をユーザに報知するための報知部とを含む
ことを特徴とする首用電気治療器。
【発明の詳細な説明】
【技術分野】
【０００１】
本発明は、首に取り付けられる装着部と、同装着部に設けられて生体にパルス電流を流す電極部と、同電極部にパルス電流を供給する本体部とを備える首用電気治療器に関する。
【背景技術】
【０００２】
上記電気治療器として特許文献１には次のものが記載されている。すなわち同文献の電気治療器は、電極及び配線コードを有する首用導子と、電極にパルス電流を供給する本体とを含む。この治療器を使用するときには、配線コードにより首用導子と本体とが接続される。
【先行技術文献】
【特許文献】
【０００３】
【特許文献１】特開２０００−４２１２２号公報
【発明の概要】
【発明が解決しようとする課題】
【０００４】
上記首用電気治療器においては、首用導子と本体とが各別に形成されているため、ユーザが首用導子を装着した状態で移動しようとしたときには、本体をいずれかの手に持つ必要がある。このため、両手を用いて別の作業をすることができない。なおこうした問題は、特許文献１の首用電気治療器に限られるものではなく、装着部と本体部とが各別に形成された首用電気治療器であれば同様に生じるものといえる。
【０００５】
本発明はこのような実情に鑑みてなされたものであり、その目的は、ユーザが装着部を首に装着した状態において一方の手に本体部を持たなくとも別の場所に移動することのできる首用電気治療器を提供することにある。
【課題を解決するための手段】
【０００６】
以下、上記目的を達成するための手段及びその作用効果について記載する。
（１）請求項１に記載の発明は、首に取り付けられる装着部と、同装着部に設けられて生体にパルス電流を流す電極部と、同電極部にパルス電流を供給する本体部とを備える首用電気治療器において、前記装着部に前記本体部が設けられていることを要旨とする。
【０００７】
この発明では、装着部及び本体部を含むものにおいて装着部に本体部を設けるようにしているため、ユーザは装着部を首に装着した状態において一方の手に本体部を持たなくとも別の場所に移動することができる。
【０００８】
（２）請求項２に記載の発明は、請求項１に記載の首用電気治療器において、前記装着部は、首への装着状態を安定させるための保持部が端部に設けられるものであり、前記本体部は、前記保持部と一体化されるものであることを要旨とする。
【０００９】
この発明では、装着部の端部に設けられた保持部と本体部とを一体化するようにしているため、ユーザが装着部を首に装着したときに本体部が人体の肩付近に位置するようになる。従って、ユーザが本体部を操作するときの操作性を向上することができる。
【００１０】
（３）請求項３に記載の発明は、請求項１または２に記載の首用電気治療器において、前記本体部は、生体へのパルス電流の供給状態を変更するための操作部が設けられるものであり、前記操作部は、ユーザが装着部を首に装着した状態において姿勢を変更したときにユーザと接触しにくいところに設けられるものであることを要旨とする。
【００１１】
この発明では、ユーザが装着部を首に装着した状態において姿勢を変更したときにユーザと接触しにくいところに操作部が設けられているため、操作部がユーザの肩等に接触してユーザの意図しない操作が行われることを抑制することができる。
【００１２】
（４）請求項４に記載の発明は、請求項３に記載の首用電気治療器において、前記操作部は、ダイヤル式のものであり且つ前記本体部の後方側の部位に設けられるものであることを要旨とする。
【００１３】
この発明では、本体部の後方側の部位にダイヤル式の操作部が設けられるようにしているため、操作部を例えば本体部の上側または下側の面に設けた場合と比較して、ユーザの姿勢の変更にともない操作部がユーザと接触する頻度を小さくすることができる。
【００１４】
（５）請求項５に記載の発明は、請求項３に記載の首用電気治療器において、前記操作部は、プッシュ式のものであることを要旨とする。
ダイヤル式の操作部では、本体部の筐体とダイヤルとの間に比較的大きな隙間が形成されるため、ユーザの髪の毛などの異物がこの隙間から本体部の中に入ることが懸念される。上記発明では、ダイヤル式の操作部と比べて本体部の筐体との隙間が小さくなる構造のプッシュ式の操作部を設けるようにしているため、本体部の中に異物が入ることを抑制することができる。
【００１５】
（６）請求項６に記載の発明は、請求項５に記載の首用電気治療器において、前記操作部は、生体に流すパルス電流を大きくするための第１操作部と、生体に流すパルス電流を小さくするための第２操作部とを含むとともに、ユーザが前記第１操作部と前記第２操作部との違いを触覚により確認できるように前記第１操作部と前記第２操作部とが互いに異なる構造を有することを要旨とする。
【００１６】
この発明では、ユーザが第１操作部と第２操作部との違いを触覚により確認できるように第１操作部と第２操作部との構造を互いに異なるものにしているため、ユーザが装着部を首に装着した状態において操作部が視認しにくいところに位置したとしても、ユーザが第１操作部と第２操作部とを取り違えて操作することを抑制することができる。
【００１７】
（７）請求項７に記載の発明は、請求項１〜６のいずれか一項に記載の首用電気治療器において、前記本体部は、生体へのパルス電流の供給状態を変更するための操作部と、同操作部が操作された旨をユーザに報知するための報知部とを含むことを要旨とする。
【００１８】
この発明では、操作部が操作された旨をユーザに報知するための報知部を備えるようにしているため、ユーザが自身では操作部を操作したつもりでも実際には操作部が操作されていないときには、そのことを適切に把握して再び操作部の操作に取り掛かることができる。
【発明の効果】
【００１９】
本発明によれば、ユーザが装着部を首に装着した状態において一方の手に本体部を持たなくとも別の場所に移動することのできる首用電気治療器を提供することができる。
【図面の簡単な説明】
【００２０】
【図１】本発明の第１実施形態について、首用電気治療器の斜視構造を示す斜視図。
【図２】同実施形態の首用電気治療器について、（Ａ）本体の内部構造を示す斜視図、（Ｂ）本体の斜視構造を示す斜視図。
【図３】同実施形態の首用電気治療器について、（Ａ）人の首に装着する際の動作図、（Ｂ）操作部を操作する際の動作図。
【図４】本発明の第２実施形態について、首用電気治療器の本体の部分斜視構造を示す斜視図。
【図５】同実施形態の首用電気治療器について、本体の部分内部構造を示す断面図。
【図６】本発明の第３実施形態について、首用電気治療器の本体の部分斜視構造を示す斜視図。
【図７】同実施形態の首用電気治療器について、本体の部分内部構造を示す断面図。
【図８】本発明の第４実施形態について、首用電気治療器の本体の部分内部構造を示す断面図。
【図９】同実施形態の首用電気治療器について、（Ａ）報知部の出力態様の一例を示すタイミングチャート、（Ｂ）報知部の出力態様の一例を示すタイミングチャート。
【図１０】本発明の第５実施形態の首用電気治療器について、（Ａ）報知部の出力態様の一例を示すタイミングチャート、（Ｂ）報知部の出力態様の一例を示すタイミングチャート。
【発明を実施するための形態】
【００２１】
（第１実施形態）
図１を参照して、本発明の第１実施形態について説明する。なお、本実施形態では低周波パルス電流を人体の首に供給する首用低周波治療器として本発明を実施した場合の一例を示している。
【００２２】
図１に低周波治療器１０の斜視構造を示す。
低周波治療器１０は、人体１の首２に取り付けられるアーム２０と、人体１にパルス電流を流す一対の電極部（第１電極部３１及び第２電極部３２）と、電極部にパルス電流を供給する本体部５０と、首２への装着状態を安定させるための一対の保持部（第１保持部４１及び第２保持部４２）とを含めて構成されている。
【００２３】
アーム２０は、首２の外周形状に沿う一対のフレーム（第１フレーム２１及び第２フレーム２２）により構成されている。第１フレーム２１及び第２フレーム２２のそれぞれの内部には、導電性のフレームが設けられている。第１フレーム２１及び第２フレーム２２の一方の端部はそれぞれ第１保持部４１にはめ込まれている。第１フレーム２１及び第２フレーム２２の他方の端部はそれぞれ第２保持部４２にはめ込まれている。これにより、第１フレーム２１と第２フレーム２２とがアーム２０の幅方向に隙間２３を形成した状態でアーム２０としての形状を維持している。
【００２４】
図２（Ａ）にケース５１の一部を破断した本体部５０の斜視構造を示す。
本体部５０は、アーム２０及び第１保持部４１と一体に形成されるケース５１と、パルス電流を発生するためのパルス発生回路５２と、同回路５２からアーム２０に出力される電流の大きさを調整するためのダイヤル５３と、同回路５２からアーム２０へのパルス電流の出力態様を変更する選択部５４と、本体部５０の電源となる電池５５とを含めて構成されている。
【００２５】
ケース５１は、第１保持部４１と一体に形成される第１ケース５１Ａと、同ケース５１Ａに固定される第２ケース５１Ｂとの組み合わせにより構成されている。ケース５１の形状は、アーム２０の一方の端部に向かうにつれて先細りとなるように設定されている。
【００２６】
ここで、本体部５０についての方向として、「高さ方向」及び「縦方向」及び「横方向」をそれぞれ次のように定義する。すなわち、パルス発生回路５２の幅方向に沿う方向を本体部５０の高さ方向とし、そのうちの人体１の頭部側に対応する方向を上方とし、人体１の胴体側に対応する方向を下方とする。また、パルス発生回路５２の長手方向に沿う方向を本体部５０の縦方向とし、そのうちの人体１の正面側に対応する方向を前方とし、人体１の背中側に対応する方向を後方とする。また、ダイヤル５３の回転軸に沿う方向を本体部５０の横方向とし、そのうちの人体１の首２に近づく方向を内方とし、人体１の首２から離れる方向を外方とする。
【００２７】
図２（Ｂ）に示されるように、ケース５１の外側面は次の各面により形成されている。すなわち、横方向の外方側に位置して縦方向に伸びた第１面Ｚ１と、横方向の内方側に位置してこの第１面Ｚ１と対をなす第２面と、高さ方向の上方側に位置して縦方向に伸びた第３面Ｚ３と、高さ方向の下方側に位置してこの第３面Ｚ３と対をなす第４面と、縦方向の後方側に位置して高さ方向に伸びた第５面Ｚ５を含めて形成されている。
【００２８】
ダイヤル５３は、ユーザがアーム２０を首２に装着した状態において姿勢を変更したときにユーザと接触しにくいところに設けられている。すなわち、第５面Ｚ５の横方向の外方側に設けられている。具体的には、本体部５０のパルス発生回路５２上において縦方向の後方側の部位に設けられている。また、ダイヤル５３の一部が第５面Ｚ５を介してケース５１の外側に突出する態様で設けられている。
【００２９】
選択部５４もダイヤル５３と同様に、ユーザがアーム２０を首２に装着した状態において姿勢を変更したときにユーザと接触しにくいところに設けられている。具体的には、本体部５０のパルス発生回路５２上において縦方向の中間の部位に設けられている（図２（Ａ）参照）。また、選択部５４の一部が第１面Ｚ１を介してケース５１の外側に突出する態様で設けられている。
【００３０】
次に、ダイヤル５３の操作位置とパルス電流との関係について説明する。
ダイヤル５３の操作位置（回転量）は、最大限に下方向に回転した位置（以下、「オフ位置」）から最大限に上方向に回転した位置（以下、「最大位置」）までの間で回転される。以下では、ダイヤル５３の操作位置のうちオフ位置以外を「オン位置」とする。また、操作位置がオフ位置に向かう方向を「弱方向」とし、操作位置が最大位置に向かう方向を「強方向」とする。
【００３１】
ダイヤル５３の操作位置の変更に応じてパルス発生回路５２からアーム２０に供給されるパルス電流の大きさは次のように変更される。
・操作位置がオフ位置にあるときにはパルス電流は発生しない。
・操作位置がオン位置にあるときにはパルス電流が発生する。
・操作位置がオン位置にある状態において、弱方向に向けて変化するにつれてパルス電流は小さくなる。
・操作位置がオン位置にある状態において、強方向に向けて変化するにつれてパルス電流は大きくなる。
・操作位置が最大位置にあるときにパルス電流は最も大きくなる。
【００３２】
図３（Ａ）及び（Ｂ）を参照して、低周波治療器１０の使用方法について説明する。
ユーザは、次の手順で低周波治療器１０を使用することができる。
（手順１）：第１電極部３１及び第２電極部３２と第１保持部４１及び第２保持部４２とのそれぞれが皮膚に接触するようにアーム２０を首２に装着する。
（手順２）：ダイヤル５３をオフ位置からオン位置に回転させて首２の治療を開始する。
（手順３）：ダイヤル５３を回転させてパルス電流を適当な大きさに調節する。
（手順４）：首２に対する刺激が強いと感じたときには、ダイヤル５３を弱方向に回転してパルス電流を弱くする。首２に対する刺激が弱いと感じたときには、ダイヤル５３を強方向に回転してパルス電流を強くする。
（手順５）：パルス電流の発生態様を変更したいときには選択部５４を押して希望する発生態様に変更する。
（手順６）：ダイヤル５３をオン位置からオフ位置まで回転させて首２の治療を終了する。
【００３３】
本実施形態の低周波治療器１０によれば、以下の効果を奏することができる。
（１）本実施形態では、アーム２０に本体部５０を設けるようにしている。これにより、ユーザはアーム２０を首２に装着した状態において一方の手に本体部５０を持たなくとも別の場所に移動することができる。
【００３４】
（２）本実施形態では、アーム２０と本体部５０とを一体化させている。これにより、アーム２０と本体部５０とを接続する接続コード等を設ける必要がなく、低周波治療器１０をコンパクトにすることができる。また、このようにコンパクトに構成された低周波治療器１０は、デザイン性にも優れている。
【００３５】
（３）特許文献１の首用電気治療器においては、首用導子と本体とを接続するための配線コードが設けられているため、ユーザが同治療器を装着した状態で動作をしようとしたときに配線コードが邪魔になることもある。
【００３６】
本実施形態の低周波治療器１０では、アーム２０に本体部５０を設けるようにしている。これにより、本体部５０の外側に配線を設けなくとも本体部５０とアーム２０とを電気的に接続することが可能となる。また、本体部５０とアーム２０とを接続する配線を本体部５０の外側に設けたとしても、本体部５０及びアーム２０が各別に形成された従来の首用電気治療器に比べると配線を短くすることが可能となる。これにより、ユーザが低周波治療器１０を装着した状態において配線が邪魔になることは抑制されるため、同治療器１０をより使いやすくすることができる。
【００３７】
（４）本実施形態では、アーム２０の端部に設けられた第１保持部４１と本体部５０とを一体化するようにしている。これにより、ユーザがアーム２０を首２に装着したときに本体部５０が人体１の肩付近に位置するようになる。従って、ユーザが本体部５０を操作するときの操作性を向上することができる。
【００３８】
（５）本実施形態では、ダイヤル５３が本体部５０の第５面Ｚ５に設けられている。これにより、ダイヤル５３がユーザの肩等に接触してユーザの意図しない操作が行われることを抑制することができる。
【００３９】
（６）本実施形態では、ダイヤル５３が本体部５０の第５面Ｚ５に設けられている。これにより、ダイヤル５３を例えば本体部５０の第３面Ｚ３または第４面に設けた場合と比較して、ユーザの姿勢の変更にともないダイヤル５３がユーザと接触する頻度を小さくすることができる。
【００４０】
（第２実施形態）
図４及び図５を参照して、本発明の第２実施形態について説明する。なお以下では、前記第１実施形態の構成からの変更点を中心に説明し、同実施形態と共通する構成については同一の符合を付してその説明を省略する。
【００４１】
先の第１実施形態の低周波治療器１０では、パルス電流の大きさを操作するための操作部としてダイヤル５３を備えている。これに対して本実施形態の低周波治療器１０では、図４に示されるように、プッシュ式の強ボタン６１及び弱ボタン６３を備えている。
【００４２】
図５に示されるように、本体部５０の縦方向の後方側には、パルス電流を大きくするための強ボタン６１と、パルス電流を小さくするための弱ボタン６３と、ユーザによる強ボタン６１の押し下げにともないオンにされる強スイッチ６２と、ユーザによる弱ボタン６３の押し下げにともないオンにされる弱スイッチ６４とを含めて構成されている。
【００４３】
強ボタン６１及び弱ボタン６３の操作状態は、これらのボタンが押されていない状態（以下、「オフ状態」）から、弱ボタン６３を長押しすることにより低周波治療器１０にパルス電流が供給される状態（以下、「オン状態」）に切換えられる。また、オン状態からオフ状態への切換えも弱ボタン６３を長押しすることにより行われる。
【００４４】
強ボタン６１が押されて強スイッチ６２がオンにされたときには、パルス発生回路５２からアーム２０に出力されるパルス電流が大きくなる。また、弱ボタン６３が押されて弱スイッチ６４がオンにされたときには、パルス発生回路５２からアーム２０に出力されるパルス電流が小さくなる。
【００４５】
低周波治療器１０の使用方法について説明する。
ユーザは、次の手順で低周波治療器１０を使用することができる。
（手順１）：第１電極部３１及び第２電極部３２と第１保持部４１及び第２保持部４２とのそれぞれが皮膚に接触するようにアーム２０を首２に装着する。
（手順２）：弱ボタン６３を長押ししてオフ状態からオン状態に切換えて首２の治療を開始する。
（手順３）：強ボタン６１または弱ボタン６３を操作してパルス電流を適当な大きさに調節する。
（手順４）：首２に対する刺激が強いと感じたときには、弱ボタン６３を押してパルス電流を弱くする。首２に対する刺激が弱いと感じたときには、強６１ボタンを押してパルス電流を強くする。
（手順５）：パルス電流の発生態様を変更したいときには選択部５４を押して希望する発生態様に変更する。
（手順６）：弱ボタン６３を長押しすることによりオン状態からオフ状態に切換えて首２の治療を終了する。
【００４６】
以上にて説明した本実施形態によれば、先の第１実施形態による前記（１）〜（６）の効果に加え、以下の効果を奏することができる。
（７）本実施形態では、操作部としてプッシュ式の強ボタン６１及び弱ボタン６３を採用している。これにより、ダイヤル式の操作部と比べて、強ボタン６１及び弱ボタン６３と本体部５０のケース５１との隙間が小さくなる。従って、本体部５０の中に異物が入ることを抑制することができる。
【００４７】
（第３実施形態）
図６及び図７を参照して、本発明の第３実施形態について説明する。なお以下では、前記第２実施形態の構成からの変更点を中心に説明し、同実施形態と共通する構成については同一の符合を付してその説明を省略する。
【００４８】
図６に示されるように、本実施形態の低周波治療器１０では、強ボタン６１の表面に突起６１Ａがさらに設けられている。突起６１Ａは、ユーザが触覚により強ボタン６１と弱ボタン６３との違いを認識できるように形成されている。
【００４９】
図７に示されるように、本体部５０の縦方向の後方側には、パルス電流を大きくするための強ボタン６１と、パルス電流を小さくするための弱ボタン６３と、ユーザによる強ボタン６１の押し下げにともないオンにされる強スイッチ６２と、ユーザによる弱ボタン６３の押し下げにともないオンにされる弱スイッチ６４と、強ボタン６１に設けられて同強ボタン６１と弱ボタン６３との違いを触覚により認識可能に形成された突起６１Ａとを含めて構成されている。
【００５０】
ユーザが突起６１Ａを認識し、強ボタン６１が押され、強スイッチ６２がオンにされたときには、パルス発生回路５２からアーム２０に出力されるパルス電流が大きくなる。また、突起６１Ａが形成されていないことを認識し、弱ボタン６３が押され、弱スイッチ６４がオンにされたときには、パルス発生回路５２からアーム２０に出力されるパルス電流が小さくなる。
【００５１】
以上にて説明した本実施形態によれば、先の第１実施形態による前記（１）〜（６）及び先の第２実施形態による前記（７）の効果に加え、以下の効果を奏することができる。
（８）本実施形態では、ユーザが強ボタン６１と弱ボタン６３との違いを触覚により確認できるように強ボタン６１に突起６１Ａを設けるようにした。これにより、ユーザがアーム２０を首２に装着した状態において強ボタン６１及び弱ボタン６３が視認しにくいところに位置したとしても、ユーザが強ボタン６１と弱ボタン６３とを取り違えて操作することを抑制することができる。
【００５２】
（９）本実施形態の低周波治療器１０では、本体部５０の縦方向の後方側の第５面Ｚ５に強ボタン６１及び弱ボタン６３を設けるようにしている。これにより、ユーザがアーム２０を首２に装着したときには強ボタン６１及び弱ボタン６３の位置を視認することは比較的困難となる。このため、パルス電流を変更するにあたりこれらのボタンの位置を視認しようとしたときには、視認のためにユーザは負担の大きい姿勢を強いられることになる。
【００５３】
この点、本実施形態ではユーザが強ボタン６１と弱ボタン６３との違いを触覚により確認できるように強ボタン６１に突起６１Ａが設けられている。これにより、強ボタン６１及び弱ボタン６３を視認するためにユーザが負担の大きい姿勢をとらなければならない状況が生じることを抑制することができる。
【００５４】
（第４実施形態）
図８及び図９を参照して、本発明の第４実施形態について説明する。なお以下では、前記第２実施形態の構成からの変更点を中心に説明し、同実施形態と共通する構成については同一の符合を付してその説明を省略する。
【００５５】
図８に示されるように、本実施形態の低周波治療器１０では、パルス発生回路５２にブザー７０がさらに設けられている。
ブザー７０は、強ボタン６１及び弱ボタン６３の動作に連動して所定の報知音を出力する。すなわち、強ボタン６１が押されて強スイッチ６２がオンにされたときには、この動作に対応した強報知音を出力する。また、弱ボタン６３が押されて弱スイッチ６４がオンにされたときには、この動作に対応した弱報知音を出力する。
【００５６】
図９（Ａ）に示されるように、強ボタン６１が押されたときには、パルス波形の報知音を所定のインターバルをおいて２回続けて出力する。また、弱ボタン６３が押されたときには、パルス波形の報知音を１回だけ出力する。
【００５７】
図９（Ｂ）を参照して、報知音の出力態様の一例について説明する。
時刻ｔ９１において強ボタン６１が押されたとき、ブザー７０からパルス波形の報知音が所定のインターバルをおいて２回続けて出力される。次に、時刻ｔ９２において弱ボタン６３が押されたとき、ブザー７０からはパルス波形の報知音が１回だけ出力される。次に時刻ｔ９３において強ボタン６１が再び押されたとき、ブザー７０からパルス波形の報知音が所定のインターバルをおいて２回続けて出力される。次に、時刻ｔ９４において弱ボタン６３が再び押されたとき、ブザー７０からはパルス波形の報知音が１回だけ出力される。
【００５８】
以上にて説明した本実施形態によれば、先の第１実施形態による前記（１）〜（６）及び先の第２実施形態による前記（７）の効果に加え、以下の効果を奏することができる。
（１０）本実施形態では、強ボタン６１及び弱ボタン６３が操作された旨をユーザに報知するためのブザー７０を備えるようにしている。これにより、ユーザが自身では強ボタン６１及び弱ボタン６３を操作したつもりでも実際にはこれらのボタンが操作されていないときには、そのことを適切に把握して再び強ボタン６１及び弱ボタン６３の操作に取り掛かることができる。
【００５９】
（第５実施形態）
図１０を参照して、本発明の第５実施形態について説明する。なお以下では、前記第４実施形態の構成からの変更点を中心に説明し、同実施形態と共通する構成については同一の符合を付してその説明を省略する。
【００６０】
先の第４実施形態では、図９に示されるようにブザー７０による報知音の出力を行うようにしている。これに対して本実施形態では、ブザー７０による報知音を図１０に示されるように変更している。
【００６１】
ブザー７０は、パルス電流の大きさに応じて所定の報知音を出力する。すなわち、強ボタン６１及び弱ボタン６３の操作によりパルス電流を最小の出力レベル１から最大の出力レベル４まで変更することができるときには、出力レベル毎に異なる報知音を出力する。
【００６２】
図１０（Ａ）に示されるように、強ボタン６１の操作によりパルス電流の出力レベルが出力レベル１に変更されたときには、パルス波形の報知音を１回だけ出力する。また、強ボタン６１の操作によりパルス電流の出力レベルが出力レベル２に変更されたときには、パルス波形の報知音を所定のインターバルをおいて２回続けて出力する。また、強ボタン６１の操作によりパルス電流の出力レベルが出力レベル３に変更されたときには、パルス波形の報知音を所定のインターバルをおいて３回続けて出力する。また、強ボタン６１の操作によりパルス電流の出力レベルが出力レベル４に変更されたときには、パルス波形の報知音を所定のインターバルをおいて４回続けて出力する。
【００６３】
図１０（Ｂ）を参照して、報知音の出力態様の一例について説明する。
時刻ｔ１０１において強ボタン６１が押されて出力レベル２から出力レベル３に変更されたとき、ブザー７０からパルス波形の報知音が所定のインターバルをおいて３回続けて出力される。次に、時刻ｔ１０２において強ボタン６１が押されて出力レベル３から出力レベル４に変更されたとき、ブザー７０からパルス波形の報知音が所定のインターバルをおいて４回続けて出力される。次に時刻ｔ１０３において弱ボタン６３が押されて出力レベル４から出力レベル３に変更されたとき、ブザー７０からパルス波形の報知音が所定のインターバルをおいて３回続けて出力される。次に時刻ｔ１０４において弱ボタン６３が押されて出力レベル３から出力レベル２に変更されたとき、ブザー７０からパルス波形の報知音が所定のインターバルをおいて２回続けて出力される。
【００６４】
以上にて説明した本実施形態によれば、先の第１実施形態による前記（１）〜（６）の効果及び先の第２実施形態による前記（６）及び先の第４実施形態による前記（１０）の効果を奏することができる。
【００６５】
（その他の実施形態）
本発明の首用電気治療器の実施態様は、上記各実施形態にて例示した実施態様に限られるものではなく、例えば以下に示すように変更することもできる。また、以下に示される各変形例は、対応する実施形態にのみ適用されるものではなく、異なる変形例同士を互いに組み合わせて実施することもできる。
【００６６】
・上記第１実施形態では、ダイヤル５３が本体部５０の第５面Ｚ５に設けられるようにしたが、ダイヤル５３を設ける位置はこれに限られない。すなわち、本体部５０の第１面Ｚ１に設けることもできる。
【００６７】
・上記第３実施形態では、強ボタン６１に突起６１Ａを設けるようにしたが、これを弱ボタン６３に設けることもできる。
・上記第３実施形態では、強ボタン６１に突起６１Ａを設けることにより、強ボタン６１及び弱ボタン６３の違いをユーザが判別できるようにしたが、それらのボタンを判別するための構成はこれに限られない。すなわち、以下の（Ａ）〜（Ｃ）に変更することもできる。
（Ａ）強ボタン６１または弱ボタン６３のいずれか一方にくぼみを形成する。
（Ｂ）強ボタン６１または弱ボタン６３のいずれか一方の表面にざらつきを形成させる。
（Ｃ）強ボタン６１と弱ボタン６３との大きさの比率を変更する。
【００６８】
・上記第４、５実施形態では、報知音の出力状態により強ボタン６１及び弱ボタン６３の選択状態を判別できるようにしたが、報知音に代えて、光または振動により強ボタン６１及び弱ボタン６３の選択状態を判別するように変更することもできる。
【００６９】
・上記第２〜５実施形態では、強ボタン６１及び弱ボタン６３が本体部５０の第５面Ｚ５に設けられるようにしたが、強ボタン６１及び弱ボタン６３を設ける位置はこれに限られない。すなわち、本体部５０の第１面Ｚ１に設けることもできる。
【００７０】
・上記第２〜５実施形態では、本体部５０に強ボタン６１及び弱ボタン６３の２つのボタンを備えるようにしたが、これを２つ以上とすることもできる。
・上記各実施形態では、本体部５０と第１保持部４１とが一体化されることにより、本体部５０がアーム２０に設けられるようにしたが、本体部５０がアーム２０に設けられる態様はこれに限られない。すなわち、以下の（Ａ）または（Ｂ）に変更することもできる。
（Ａ）第１保持部４１を省略して、本体部５０を第１フレーム２１及び第２フレーム２２に固定する。
（Ｂ）本体部５０を第１保持部４１及び第１フレーム２１及び第２フレーム２２に固定する。
【００７１】
・上記各実施形態では、本体部５０と第１保持部４１とが一体化して形成されるようにしたが、これを本体部５０と第１保持部４１とを別体に形成して、さらに以下の（Ａ）または（Ｂ）に変更することもできる。
（Ａ）本体部５０と第１保持部４１とを固定する。
（Ｂ）第１保持部４１を省略してアーム２０に固定する。
【００７２】
・上記各実施形態では、第１保持部４１及び第２保持部４２の２つの保持部を備える低周波治療器１０としたが、保持部の数はこれに限られない。すなわち、１つの保持部を備える、または、保持部を省略することもできる。
【００７３】
・上記各実施形態では、選択部５４が本体部５０の第１面Ｚ１に設けられるようにしたが、選択部５４を設ける位置はこれに限られない。すなわち、本体部５０の第５面Ｚ５に設けることもできる。
【００７４】
・上記各実施形態では、本体部５０がアーム２０の端部に固定されるようにしたが、本体部５０をアーム２０に固定する位置はこれに限られない。例えば、アーム２０の中央部に固定することもできる。
【００７５】
・上記各実施形態では、本体部５０は、その縦方向に沿ってアーム２０に固定されるようにしたが、同本体部５０の縦方向と垂直となるようにアーム２０に固定することもできる。
【００７６】
・上記各実施形態では、パルス電流を首２に出力する際の出力態様を変更する選択部５４を設けるようにしたが、これを省略することもできる。
・上記各実施形態では、首用電気治療器を低周波パルス電流により首２の治療を行う低周波治療器１０として具体化したが、これを高周波パルス電流により治療を行う高周波治療器とすることもできる。
【符号の説明】
【００７７】
１…人体（生体）、２…首、１０…低周波治療器（首用電気治療器）、２０…アーム（装着部）、２１…第１フレーム、２２…第２フレーム、３１…第１電極部、３２…第２電極部、４１…第１保持部、４２…第２保持部、５０…本体部、５１…ケース、５１Ａ…第１ケース、５１Ｂ…第２ケース、５２…パルス発生回路、５３…ダイヤル（操作部）、５４…選択部、５５…電池、６１…強ボタン（第１操作部）、６１Ａ…突起、６２…強スイッチ、６３…弱ボタン（第２操作部）、６４…弱スイッチ、７０…ブザー（報知部）。
【図１】
2011067294.tif 000003
【図２】
2011067294.tif 000004
【図３】
2011067294.tif 000005
【図４】
2011067294.tif 000006
【図５】
2011067294.tif 000007
【図６】
2011067294.tif 000008
【図７】
2011067294.tif 000009
【図８】
2011067294.tif 000010
【図９】
2011067294.tif 000011
【図１０】
2011067294.tif 000012